【手続補正書】
【提出日】平成19年5月7日(2007.5.7)
【手続補正１】
【補正対象書類名】特許請求の範囲
【補正対象項目名】全文
【補正方法】変更
【補正の内容】
【特許請求の範囲】
【請求項１】
電解質膜の両面にアノード電極とカソード電極とをそれぞれ具備するメンブレン電極アセンブリが積層され、前記アノード電極と前記カソード電極とにそれぞれ対向するように設置された導電性アノードプレートと導電性カソードプレートとを具備する直接液体燃料電池スタックにおいて：
前記カソードプレートには、複数の平行な流路が形成され、
前記カソードプレートの一側に前記流路に対して垂直方向に設置され、一面が前記流路の前記カソード電極に対向する面と略同一面内にある多孔性部材を備えたことを特徴とする、直接液体燃料電池スタック。
【請求項２】
前記多孔性部材は、前記メンブレン電極アセンブリの前記カソードプレートにそれぞれ設けられ、前記多孔性部材の端部は、互いに連結されていることを特徴とする、請求項１に記載の直接液体燃料電池スタック。
【請求項３】
前記多孔性部材には、ウォータポンプが連結されていることを特徴とする、請求項２に記載の直接液体燃料電池スタック。
【請求項４】
前記流路の両端は、開放されていることを特徴とする、請求項１に記載の直接液体燃料電池スタック。
【請求項５】
前記多孔性部材は、複数の気孔が形成されたフォーム部材であることを特徴とする、請求項１に記載の直接液体燃料電池スタック。
【請求項６】
前記カソードプレートには、前記流路間の突出した部分に貫通する燃料通路ホールが形成されたことを特徴とする、請求項１に記載の直接液体燃料電池スタック。
【請求項７】
電解質膜の両面にアノード電極とカソード電極とをそれぞれ具備するメンブレン電極アセンブリが積層され、前記アノード電極と前記カソード電極とにそれぞれ対向するように設置された導電性アノードプレートと導電性カソードプレートとを具備する直接液体燃料電池スタックにおいて：
前記カソードプレートには、複数の平行な流路が形成され、
前記カソードプレートの一側には、前記カソードプレートの流路に連通した通路が形成された多孔性部材が設置されたことを特徴とする、直接液体燃料電池スタック。
【請求項８】
前記多孔性部材は、前記メンブレン電極アセンブリの前記カソードプレートにそれぞれ設けられ、前記多孔性部材の端部は、互いに連結されていることを特徴とする、請求項７に記載の直接液体燃料電池スタック。
【請求項９】
前記多孔性部材には、水ポンプが連結されていることを特徴とする、請求項８に記載の直接液体燃料電池スタック。
【請求項１０】
前記流路の両端は、開放されていることを特徴とする、請求項７に記載の直接液体燃料電池スタック。
【請求項１１】
前記多孔性部材は、複数の気孔が形成されたフォーム部材であることを特徴とする、請求項７に記載の直接液体燃料電池スタック。
【請求項１２】
前記カソードプレートには、前記流路間の突出した部分に貫通する燃料通路ホールが形成されたことを特徴とする、請求項７に記載の直接液体燃料電池スタック。
【手続補正２】
【補正対象書類名】明細書
【補正対象項目名】００１１
【補正方法】変更
【補正の内容】
【００１１】
上記課題を解決するために、本発明のある観点によれば、電解質膜の両面にアノード電極とカソード電極とをそれぞれ具備するメンブレン電極アセンブリが積層され、アノード電極とカソード電極とにそれぞれ対向するように設置された導電性アノードプレートと導電性カソードプレートとを具備する直接液体燃料電池スタックにおいて、カソードプレートには、複数の平行な流路が形成され、カソードプレートの一側に流路に対して垂直方向に設置され、一面が流路のカソード電極に対向する面と略同一面内にある多孔性部材を備えたことを特徴とする、直接液体燃料電池スタックが提供される。
【手続補正３】
【補正対象書類名】明細書
【補正対象項目名】００１２
【補正方法】変更
【補正の内容】
【００１２】
上記多孔性部材は、メンブレン電極アセンブリのカソードプレートにそれぞれ設けられ、多孔性部材の端部は、互いに連結されてもよい。
【手続補正４】
【補正対象書類名】明細書
【補正対象項目名】００１３
【補正方法】変更
【補正の内容】
【００１３】
上記多孔性部材には、ウォータポンプが連結されてもよい。
【手続補正５】
【補正対象書類名】明細書
【補正対象項目名】００１４
【補正方法】変更
【補正の内容】
【００１４】
上記流路の両端は、開放されてもよい。
【手続補正６】
【補正対象書類名】明細書
【補正対象項目名】００１５
【補正方法】変更
【補正の内容】
【００１５】
上記多孔性部材は、複数の気孔が形成されたフォーム部材であってもよい。
【手続補正７】
【補正対象書類名】明細書
【補正対象項目名】００１６
【補正方法】変更
【補正の内容】
【００１６】
上記カソードプレートには、流路間の突出した部分に貫通する燃料通路ホールが形成されてもよい。
【手続補正８】
【補正対象書類名】明細書
【補正対象項目名】００１７
【補正方法】変更
【補正の内容】
【００１７】
また、上記課題を解決するために、本発明の別の観点によれば、電解質膜の両面にアノード電極とカソード電極とをそれぞれ具備するメンブレン電極アセンブリが積層され、アノード電極とカソード電極とにそれぞれ対向するように設置された導電性アノードプレートと導電性カソードプレートとを具備する直接液体燃料電池スタックにおいて、カソードプレートには、複数の平行な流路が形成され、カソードプレートの一側には、カソードプレートの流路に連通した通路が形成された多孔性部材が設置されたことを特徴とする、直接液体燃料電池スタックが提供される。
【手続補正９】
【補正対象書類名】明細書
【補正対象項目名】００１８
【補正方法】変更
【補正の内容】
【００１８】
上記多孔性部材は、メンブレン電極アセンブリのカソードプレートにそれぞれ設けられ、多孔性部材の端部は、互いに連結されてもよい。
【手続補正１０】
【補正対象書類名】明細書
【補正対象項目名】００１９
【補正方法】変更
【補正の内容】
【００１９】
上記多孔性部材には、水ポンプが連結されてもよい。
【手続補正１１】
【補正対象書類名】明細書
【補正対象項目名】００２０
【補正方法】変更
【補正の内容】
【００２０】
上記流路の両端は、開放されてもよい。
【手続補正１２】
【補正対象書類名】明細書
【補正対象項目名】００２１
【補正方法】変更
【補正の内容】
【００２１】
上記多孔性部材は、複数の気孔が形成されたフォーム部材であってもよい。
【手続補正１３】
【補正対象書類名】明細書
【補正対象項目名】００２２
【補正方法】変更
【補正の内容】
【００２２】
上記カソードプレートには、流路間の突出した部分に貫通する燃料通路ホールが形成されてもよい。
【手続補正１４】
【補正対象書類名】明細書
【補正対象項目名】００３２
【補正方法】変更
【補正の内容】
【００３２】
図２及び図４に示すように、バイポーラプレート１１０の一側には、液滴を吸収する親水性部材１７０が設置される。親水性部材１７０（多孔性部材）は、図４に示すように、その上部が前記直線型流路１１５の底と水平になるように設置され、その上部が液滴と接触して、液滴を吸収する。親水性部材１７０の端部１７０ａは、別の親水性部材１７２に連結されるように形成され、親水性部材１７２には、ウォータポンプＰが連結される。ウォータポンプＰで親水性部材１７２に吸収された水を外部に排出可能である。
【手続補正１５】
【補正対象書類名】明細書
【補正対象項目名】００４１
【補正方法】変更
【補正の内容】
【００４１】
バイポーラプレート１１０の一側には、液滴を吸収する親水性部材２７０が設置される。前記親水性部材２７０（多孔性部材）は、バイポーラプレート１１０の一側が延びるように形成されるように設置される。親水性部材２７０には、直線型流路１１５を延長した溝２７５が形成され、直線型流路１１５の下部、すなわち溝２７５と接触される液滴が、流入される空気の流れと重力とで親水性部材２７０に吸収される。親水性部材２７０としては、複数の気孔が形成されたフォーム部材、例えば、スポンジ、又は気孔が形成されるように処理されたポリエチレン、ポリプロピレンが使用されうる。